(57)【特許請求の範囲】
【請求項１】
プラスチックシートを折り曲げ罫線に沿って折り曲げて組み立てられる包装用ケースの角部でシートの端辺と端辺を接続する構造において、
前記角部を挟む一側のシート端辺に折り曲げ罫線を挟んで細幅にくびれて前記シート端辺から突出した根元部と根元部から左右両側に扇状に広がった幅広な舌状部からなり、前記根元部の両側の前記シート端辺と舌状部の端部と間の部分を隙間とした差し込み片を突設し、他側のシート端辺には折り曲げ罫線を挟んで内折れ板を連設するとともに当該折り曲げ罫線に近接した内折れ板の端部に中央部が弓形に曲がった湾曲形状をなし、且つその両側が当該湾曲部の端部から屈曲して斜め直線状に延びた形状の切込み部を形成し、
前記他側のシート端辺の内折れ板を折り曲げ罫線に沿って内折れさせ、この内折れ板に形成された切込み部に前記一側のシート端辺の差し込み片を差し込み、切込み部に沿って湾曲乃至屈曲した差し込み片を内折れ板の内面に係合させることによりシートの端辺同士を接続することを特徴とする包装用ケースのシート接続構造。
【請求項２】
折り曲げ罫線を挟んで複数の側面板が並設されたプラスチックシートを筒状に折り曲げるとともに前記複数の側面板の一端部の側面板の端辺と他端部の側面板の端辺を接続する請求項１に記載の構造において、
前記一端部の側面板の端辺に折り曲げ罫線を挟んで細幅にくびれて前記側面板の端辺から突出した根元部と根元部から左右両側に扇状に広がった幅広な舌状部からなり、前記根元部の両側の前記側面板の端辺と舌状部の端部と間の部分を隙間とした差し込み片を突設し、他端部の側面板の端辺には折り曲げ罫線を挟んで内折れ板を連設するとともに当該折り曲げ罫線に近接した内折れ板の端部に中央部が弓形に曲がった湾曲形状をなし、且つその両側が当該湾曲部の端部から屈曲して斜め直線状に延びた形状の切込み部を形成し、
前記各側面板を折り曲げ罫線に沿って折り曲げるとともに、前記内折れ板を折り曲げ罫線に沿って内折れさせ、この内折れ板に形成された切込み部に前記差し込み片を差し込み、切込み部に沿って湾曲乃至屈曲した差し込み片を内折れ板の内面に係合させて側面板の端辺同士を接続することを特徴とする包装用ケースのシート接続構造。
【請求項３】
ケースの開口端部に設けられた蓋板の端辺を当該開口に面する側面板の端辺に接続する請求項１又は２に記載の構造において、
前記蓋板の端辺に折り曲げ罫線を挟んで細幅にくびれて前記蓋板の端辺から突出した根元部と根元部から左右両側に扇状に広がった幅広な舌状部からなり、前記根元部の両側の前記蓋板の端辺と舌状部の端部と間の部分を隙間とした差し込み片を突設し、前記側面板の端辺には折り曲げ罫線を挟んで内折れ板を連設するとともに当該折り曲げ罫線に近接した内折れ板の端部に中央部が弓形に曲がった湾曲形状をなし、且つその両側が当該湾曲部の端部から屈曲して斜め直線状に延びた形状の切込み部を形成し、
前記内折れ板を折り曲げ罫線に沿って内折れさせ、この内折れ板に形成された切込み部に前記差し込み片を差し込み、切込み部に沿って湾曲乃至屈曲した差し込み片を内折れ板の内面に係合させて前記蓋板と側面板の端辺同士を接続してケースの開口を閉鎖することを特徴とする包装用ケースのシート接続構造。
【請求項４】
請求項１〜３の何れかの構造によりシートの端辺同士が接続された構成を有する包装用ケース。
【発明の詳細な説明】
【技術分野】
【０００１】
本発明は、化粧品や日用品、その他の物品を収納して販売や展示に供するのに好適な包装用ケースに係り、ケースの角部に沿って折り重ね又は突き合わせたシートの端辺同士を接続する構造に関する。
【背景技術】
【０００２】
化粧品などの小間物を包装する容器として、透明度の高いプラスチックにより成形されたシートを所定形状に打ち抜き、これをその表面に形成された折り曲げ罫線に沿って折り曲げて六面体に組み立てられるケースが利用されている。
このようなケースは、通常、シートの端部に糊代片を設けておき、これをシートの他端部内側に折り重ね、且つ重合部を接着してシートを筒体となし、筒体の上下の開口面に蓋板を被せて組み立てられ、組み立て工程中に糊代片に接着剤を塗布する工程や糊代片をシートに重ねて接着する工程を必要とし、ケースの組み立てに手間を要していた。
【０００３】
一方、接着剤を用いずに、所定形状のシートを折り曲げて箱形に組み立てるケースとして、例えば図９（Ａ）に示されるように、段ボールやカートン紙などの紙材からなるシート１００の一側の端辺に差し込み片１０１を突設し、他側の端辺には内折れ板１０２を設けるとともに内折れ板１０２の板内に前記差し込み片１０１を差し込むことが可能な大きさの切込み部１０３を形成し、このシート１００をその表面に形成された折り曲げ罫線１０４に沿って折り曲げ、同図（Ｂ）に示されるように、前記差し込み片１０１を内折れ板１０２の切込み部１０３に差し込んで係合させることでシート１００を筒体となし、上下の開口面に蓋板１０５、１０５を折り重ねて組み立てられる構成のものが知られている（例えば特許文献１、２参照）。
【先行技術文献】
【特許文献】
【０００４】
【特許文献１】実開平５−２９９１７号公報
【特許文献２】特開２００２−３７０７２７号公報
【発明の概要】
【発明が解決しようとする課題】
【０００５】
前記図９に示されたケースをプラスチックシート製のケースに適用すれば、接着剤を用いずにケースの組み立てが可能となるが、図示されたケースでは、切込み部１０３が直線状に形成されているため、差し込み片１０１を容易に差し込むことができる反面、ケースに外力が加わったり衝撃を受けたりした場合に、差し込み片１０１が切込み部１０３から抜け外れ易いという問題がある。図示したケースは、差し込み片１０１を切込み部１０３に差し込んだ後、当該部分を粘着テープで留め付けるなどのケースが開くことを防止する手段を講じているのが実状である。
【０００６】
本発明は従来技術の有するこのような問題点に鑑み、プラスチックシートを折り曲げて包装用ケースを組み立てるにあたり、ケースの角部に沿って折り重ね又は突き合わせたシートの端辺と端辺を、接着剤や粘着テープなどの固着手段を用いなくとも、簡単な組付け操作で一体に接続でき、且つ接続したシート端辺同士が分離し難い構造とし、ケースを運搬している間などに衝撃を受けてもケースが開封することのないようにすることを課題とする。
【課題を解決するための手段】
【０００７】
前記課題を解決するため本発明の包装用ケースのシート接続構造は、プラスチックシートを折り曲げ罫線に沿って折り曲げて組み立てられる包装用ケースの角部でシートの端辺と端辺を接続する構造において、
前記角部を挟む一側のシート端辺に折り曲げ罫線を挟んで細幅にくびれて前記シート端辺から突出した根元部と根元部から左右両側に扇状に広がった幅広な舌状部からなり、前記根元部の両側の前記シート端辺と舌状部の端部と間の部分を隙間とした差し込み片を突設し、他側のシート端辺には折り曲げ罫線を挟んで内折れ板を連設するとともに当該折り曲げ罫線に近接した内折れ板の端部に中央部が弓形に曲がった湾曲形状をなし、且つその両側が当該湾曲部の端部から屈曲して斜め直線状に延びた形状の切込み部を形成し、
前記他側のシート端辺の内折れ板を折り曲げ罫線に沿って内折れさせ、この内折れ板に形成された切込み部に前記一側のシート端辺の差し込み片を差し込み、切込み部に沿って湾曲乃至屈曲した差し込み片を内折れ板の内面に係合させることによりシートの端辺同士を接続することを特徴とする。
【０００８】
前記シートの接続構造において、差し込み片はシート端辺に連設した根本部分を細幅にくびれた形状、それよりも先端側を広幅な舌状に形成される。
内折れ板の端部に設ける切込み部は、前記差し込み片が挿入し得る長さであって、差し込み片の根本部が挿入する部分、つまり切込み部の中央部は弓形などの湾曲した形状、或いは「く」字形などの屈曲した形状に設けて形成される。
【０００９】
これによれば、折り曲げ罫線に沿ってシートを折り曲げるとともに、前記内折れ板を内折れさせた状態で、内折れ板に形成された切込み部に差し込み片を差し込む。この際、差し込み片は、その全体が切込み部に沿った形状に変形して差し込まれ、内折れ板の内側に差し込み片が差し込まれた状態で、差し込み片はその根本部分が切込み部に沿って湾曲乃至屈曲するため、内折れ板の内側に入り込んだ差し込み片の広幅な舌状部分全体が湾曲乃至屈曲した形状に保形される。そして、湾曲乃至屈曲した形状に保形された舌状部分が内折れ板の内面に係合することでシートの端辺同士が接続し、切込み部の形状と変形した差し込み片の舌状部分の形状が異なるため、差し込み片に切込み部から引き抜く方向に力が加わっても、湾曲乃至屈曲した舌状部分が切込み部の周辺のシート内面に噛み合い、差し込み片は切込み部から抜け難くいものとなる。
また、切込み部は、内折れ板の折り曲げ罫線に近接した端部に形成されるが、湾曲乃至屈曲した切込み部の前記折り曲げ罫線側へ突出した部分が略折り曲げ罫線上にかかる配置とすれば、内折れ板の内側で、差し込み片の湾曲乃至屈曲した舌状部分がシート内面に押し付けられて、差し込み片がより抜け難くなる。
さらに、切込み部は湾曲乃至屈曲した部分を有するものであれば、差し込み片が挿入し得る幅の筋状や長穴形状に形成してもよい。差し込み片と切込み部をそれぞれ接続するシートの端辺に位置対応させて複数箇所設けてもよい。
【００１０】
前記構成のシート接続構造は、シートを筒状に折り曲げ、その端部同士を接続して筒体のケースを構成する態様や、筒体のケースの開口面に蓋板を接続する態様など、シートの端辺同士を接続してケースを組み立てる適宜な態様に適用可能である。
シートを折り曲げて筒体のケースを構成する接続構造は、折り曲げ罫線を挟んで複数の側面板が並設されたプラスチックシートを筒状に折り曲げるとともに前記複数の側面板の一端部の側面板の端辺と他端部の側面板の端辺を接続するにあたり、
前記一端部の側面板の端辺に折り曲げ罫線を挟んで細幅にくびれて前記側面板の端辺から突出した根元部と根元部から左右両側に扇状に広がった幅広な舌状部からなり、前記根元部の両側の前記側面板の端辺と舌状部の端部と間の部分を隙間とした差し込み片を突設し、他端部の側面板の端辺には折り曲げ罫線を挟んで内折れ板を連設するとともに当該折り曲げ罫線に近接した内折れ板の端部に中央部が弓形に曲がった湾曲形状をなし、且つその両側が当該湾曲部の端部から屈曲して斜め直線状に延びた形状の切込み部を形成し、
前記各側面板を折り曲げ罫線に沿って折り曲げるとともに、前記内折れ板を折り曲げ罫線に沿って内折れさせ、この内折れ板に形成された切込み部に前記差し込み片を差し込み、切込み部に沿って湾曲乃至屈曲した差し込み片を内折れ板の内面に係合させて側面板の端辺同士を接続する構成とすることができる。
また、筒体の開口面に蓋板を接続する構造は、ケースの開口端部に設けられた蓋板の端辺を当該開口に面する側面板の端辺に接続するにあたり、
前記蓋板の端辺に折り曲げ罫線を挟んで細幅にくびれて前記蓋板の端辺から突出した根元部と根元部から左右両側に扇状に広がった幅広な舌状部からなり、前記根元部の両側の前記蓋板の端辺と舌状部の端部と間の部分を隙間とした差し込み片を突設し、前記側面板の端辺には折り曲げ罫線を挟んで内折れ板を連設するとともに当該折り曲げ罫線に近接した内折れ板の端部に中央部が弓形に曲がった湾曲形状をなし、且つその両側が当該湾曲部の端部から屈曲して斜め直線状に延びた形状の切込み部を形成し、
前記内折れ板を折り曲げ罫線に沿って内折れさせ、この内折れ板に形成された切込み部に前記差し込み片を差し込み、切込み部に沿って湾曲乃至屈曲した差し込み片を内折れ板の内面に係合させて前記蓋板と側面板の端辺同士を接続してケースの開口を閉鎖する構成とすることができる。
【００１１】
シートを筒状に形成する態様と蓋板を接続する態様の双方に本発明のシート接続構造を適用してもよい。また、本発明の包装用ケースは、シートの端辺同士を前記構造により接続した構成を有することを特徴とするものである。
【００１２】
前記構成において、ケースを構成するシートの材質としては、耐折性が良好なポリエチレンテレフタレート、ポリプロピレン、ポリエチレン、ポリカーボネート、或いはポリ乳酸などの生物由来性樹脂、その他の樹脂単体又はこれらの複合体からなるプラスチックシートを用いることができる。特にポリエチレンテレフタレート製のシートは、透明性が良好で剛性が高い点で好ましく、中でもアモルファスＰＥＴ（Ａ−ＰＥＴ）は、より透明性が良好で且つ未延伸であるためシートの方向に関係なく強度が高い点で好ましい。
シートの肉厚は、０．１〜０．８ｍｍに設定することができる。０．１ｍｍより薄いとシート面板の折れ曲がりや破損を来しやすくなり、０．８ｍｍよりも厚いと折り曲げ加工に要する圧力は大となる。耐折性や剛性などを考慮すると、０．２〜０．６ｍｍに設定することが好ましい。
シートに付設される折り曲げ罫線の種類は問わず、ミシン目などのスリットを断続させた罫線や凹穴状の押し罫線、Ｖ字やＵ字状、台形状の溝を断続又は連続させた罫線、溝内を二段溝状とした二段罫線、筋状の溝を平行に近接配置した罫線などシートを罫線に沿って折り曲げることが可能な適宜な種類の罫線をケースの寸法やシートの材質、剛性、厚みなどに応じて適宜に設定することができる。
【発明の効果】
【００１３】
本発明によれば、ケースを組み立てる際に内折れさせた内折れ板の切込み部に差し込み片を差し込めば、差し込み片が切込み部に沿って湾曲乃至屈曲した形状に保持されて内折れ板の内面に係合するため切込み部から抜け難く、接着剤や粘着テープなどを用いなくともシートの端辺同士を強固に接続することが可能である。
シートの接続は、差し込み片を切込み部に差し込んで組付けるという簡便な操作で可能であり、また、一旦切込み部に差し込み片を差し込めば、内折れ板の内面と差し込み片との係合状態が維持されるので、差し込み片に切込み部から引き抜く方向に力が加わっても抜け難く、ケース取り扱い中に衝撃を受けたり外力が加わったりしてもシート同士の接続が外れてケースが開封するようなことはない。
なお、本発明は六面体のケースの他に適宜な角度で折れ曲がった角部を有する多面体のケースに適用可能である。
【図面の簡単な説明】
【００１４】
【図１】本発明の第１実施形態の包装用ケースを構成するシートの展開図である。
【図２】側面板に設けた差し込み片と内折れ板に設けた切込み部を拡大して示した図である。
【図３】差し込み片を切込み部に差し込んだ状態のケース角部の内部透過図である。
【図４】差し込み片を切込み部に差し込んだ状態のケース角部の拡大断面図である。
【図５】本発明の第２実施形態の包装用ケースを構成するシートの展開図である。
【図６】本発明の第３実施形態の包装用ケースを構成するシートの展開図である。
【図７】本発明の第４実施形態の包装用ケースを構成するシートの展開図である。
【図８】（Ａ）、（Ｂ）はそれぞれ内折れ板に形成する切込み部の他の形態を示した図である。
【図９】従来の包装用ケースにおける（Ａ）はシート展開図、（Ｂ）はケースを組み立てる過程における外観図である。
【発明を実施するための形態】
【００１５】
以下、本発明の好適な実施形態を図面に基づいて説明する。
本発明は、所定形状のプラスチックシートを折り曲げて組み立てられる包装用ケースにおいて、ケースの角部に沿って折り重ね又は突き合わせられるシートの端辺に、一側のシート端辺には差し込み片、他側のシート端辺には切込み部が形成された内折れ板をそれぞれ設け、差し込み片を切込み部に係入させてシート端辺同士を接続しケースの角部を構成する構造である。
図１は本発明を適用した第１実施形態のケースを展開したシートの構成を示している。
【００１６】
このシートＳは、各々矩形の板面からなる、正面板１、背面板２及び左右側面板３、４の各面板を縦方向の折り曲げ罫線Ｌｖを挟んで連設し、背面板２の上下端辺に先端に差し込みフラップ５ａを設けた蓋板５、５を横方向の折り曲げ罫線Ｌｈを挟んで連設し、左右側面板３、４の上下端辺には折り曲げ罫線Ｌｈを挟んで内フラップ６、６をそれぞれ連設し、さらに、シートＳの一側の端部である右側面板３の端辺に差し込み片７、７を突設し、シートＳの他側の端部である正面板１の端辺には折り曲げ罫線Ｌｖを挟んで内折れ板８を連設するとともに、内折れ板８の折り曲げ罫線Ｌｖ側の端部にスリット状の切込み部９、９を設けて形成してある。
【００１７】
詳しくは、差し込み片７と切込み部９は、シートＳの各面板を折り曲げ罫線Ｌｖに沿って筒状に折り曲げたときに、切込み部９に差し込み片７が係入する対応位置に設けられており、図２に示されるように、差し込み片７は、その根本部７ａが細幅にくびれていて先端を根本部７ａから左右両側に扇状に広がった幅広な舌状部７ｂとし、右側面板３の端辺に折り曲げ罫線Ｌｖを挟んで連設してある。根元部７ａの両側の右側面板３の端辺と舌状部７ｂの根元部７ａ側の端部と間の部分は隙間となっている。
また、切込み部９は、正面板１と内折れ板８の間に設けられた折り曲げ罫線Ｌｖから内折れ板８の面内にシートＳの肉厚Ｔだけ離れた位置に設けられ、切込み部９全体として差し込み片７が挿入し得る長さを有するとともに、その中央部９ａが差し込み片７の根本部７ａが挿通する長さの部分だけ折り曲げ罫線Ｌｖ側から内折れ板８の先端側に向かって弓形に膨らんだ湾曲形状をなし、且つその両側９ｂ、９ｂが当該湾曲部の端部から内折れ板８の先端側へ屈曲して斜め直線状に延びた形状に形成してある。
【００１８】
このように形成されたシートＳは、各折り曲げ罫線Ｌｖに沿って四側面板１、２、３、４及び内折れ板８を各々略直角に内折れさせ、且つ右側面板３の内面に内折れ板８を折り重ねて筒状に折り曲げるとともに、右側面板３の端辺に設けた差し込み片７、７を内折れ板８の端部に設けた切込み部９、９に差し込んで筒体となし、この筒体の上下の開口に、折り曲げ罫線Ｌｈに沿って内フラップ６、６と蓋板５を折り重ね、蓋板５の先端に設けた差し込みフラップ５ａを正面板１の上下端部内側に差し入れ、差し込みフラップ５ａの両側を内フラップ６、６に係合させることにより箱形のケースに組み立てられる。
【００１９】
差し込み片７、７を切込み部９、９に差し込んだ状態で、図３に示されるように、差し込み片７は、内折れ板８の下側で切込み部９の湾曲した中央部９ａに沿って全体が湾曲し、すなわち、同図に示されるように、差し込み片７の根本部７ａが切込み部９の中央部９ａに沿って湾曲し、先端の舌状部７ｂも中央部９ａに沿って湾曲した状態に保形されて内折れ板８の内面に係合する。この舌状部７ｂの形状は、切込み部９の中央部９ａから両側９ｂ、９ｂに至る形状とは異なり、舌状部７ｂの両端は切込み部９の両側９ｂ、９ｂとは反対側に屈曲しているため、差し込み片７は切込み部９から抜け難く、差し込み片７に切込み部９から引き抜く方向に力が加わっても湾曲した舌状部７ｂが切込み部９の周辺部分に噛み合って内折れ板８との係合状態が維持され、これにより右側面板３の端辺は正面板１の端辺に強固に接続されることとなる。両板を接続するための、接着剤や粘着テープなどの固着手段は不要である。
また、切込み部９は、内折れ板８の端部の略折り曲げ罫線Ｌｖ上にかかる近接位置に設けてあるので、差し込み片７を切込み部９に差し込んだ状態で、図４に示されるように、内折れ板８の内側で湾曲した差し込み片７の舌状部７ｂが正面板１の内面に押し付けられ、これにより差し込み片７が切込み部９からより抜け難くなり、ケース搬送中などにケースに衝撃や外力が加わっても、右側面板３と正面板１の端辺同士の接続が外れてケースが開封するようなことはない
【００２０】
図５は本発明の第２実施形態のケースを展開したシートの構成を示しており、これは本発明の接続構造を蓋板の接続に適用したものである。
すなわち、同図に示されるように、このシートＳは、正面板１、背面板２、左右側面板３、４及び糊代片１０の各面板を折り曲げ罫線Ｌｖを挟んで連設し、左右側面板３、４の上下端辺には折り曲げ罫線Ｌｈを挟んで内フラップ６、６をそれぞれ連設し、背面板２の上下端部に蓋板５、５を折り曲げ罫線Ｌｈを挟んで連設するとともに蓋板５、５の端辺に根本部分が細幅にくびれた舌状の差し込み片７をそれぞれ突設し、さらに、正面板１の上下端辺には折り曲げ罫線Ｌｈを挟んで内折れ板８、８を連設し、両内折れ板８、８の折り曲げ罫線Ｌｈ側の内端部に前記蓋板５の差し込み片７が係入する湾曲乃至屈曲した形状の切込み部９、９を設けて形成してある。
【００２１】
このように形成されたシートＳは、各折り曲げ罫線Ｌｖに沿って四側面板１、２、３、４を折り曲げるとともに、正面板１の側端に設けた糊代片１０を右側面板３の端部内面に接着剤などで一体に固着して筒体となし、この筒体の上下の開口に、折り曲げ罫線Ｌｈに沿って内折れさせた内フラップ６、６と内折れ板８を折り重ね、次いで内折れ板８に蓋板５を折り重ねるとともに蓋板５の端辺に設けた差し込み片７を切込み部９に差し込んで係入させることにより箱形のケースに組み立てられる。
【００２２】
蓋板５を内折れ板８に折り重ねて差し込み片７を切込み部９に差し込んだ状態で、前記形態と同様に、差し込み片７は、内折れ板８の内側でその先端の舌状部７ａが湾曲形状に保形されて内折れ板８の内面と内フラップ６、６に係合するので、蓋板５はケースの開口を閉鎖する位置に確実に保持されてケース内部は密閉される。蓋板５を固定するための粘着テープなどの固着手段は不要であり、差し込み片７が切込み部９から抜け外れ難いので、ケースに衝撃が加わっても蓋板５が開いてケースが開封するようなことはない。
【００２３】
図６は本発明の第３実施形態のケースを展開したシートの構成を示しており、これは第１実施形態と第２実施形態のシートの構成を組み合わせ、右側面板３の端辺に設けた差し込み片７を正面板１の端辺に設けた内折れ板８内の切込み部９に係入させて両面板を接続し、また、蓋板５の端辺に設けた差し込み片７を正面板１の上下端辺に設けた内折れ板８内の切込み部９に係入させて蓋板５がケースの開口を閉鎖するようにシートＳを構成したものである。
このように形成されたシートＳは、接着剤や粘着テープを用いなくともシートの端辺同士を確実且つ強固に接続してケースを組み立てることが可能であり、各差し込み片７が内折れ板８の内側で湾曲形状に保形されるので切込み部９から抜け外れ難く、ケース取り扱い中に衝撃が加わってもケースが開封するようなことはない。
【００２４】
また、図７は本発明の第４実施形態のケースを展開したシートの構成を示しており、これは第２実施形態のシートの構成に加えて、上蓋に相当する蓋板５の内側に折り込まれる中蓋１１を右側面板３の上端に設け、この中蓋１１の端辺に差し込み片７を設けるとともに、左側面板４の上端には内折れ板８を折り曲げ罫線Ｌｈを挟んで連設し、この内折れ板８の折り曲げ罫線Ｌｈ側の内端部に形成した切込み部９に中蓋１１の差し込み片７が係入するようにシートＳを構成したものであり、ケースの上蓋を中蓋１１と蓋板５で構成することで上蓋をより開き難く構成したものである。
【００２５】
なお、前記各構成のケースにおいて、差し込み片７を切込み部９から抜け難くするため、図８に示されるように、切込み部９の全体を屈曲した形状に設けたり、長穴形状に設けたりしてもよい。また、図示したケース及びシートは本発明の実施形態の一例を示すものであり、本発明の包装用ケースはこれに限定されず、収納する物品の大きさや形状、包装の態様などに応じて適宜な形態で構成することが可能である。本発明は六面体に組み立てられるケースの他に多面体のケースに適用可能である。
【符号の説明】
【００２６】
Ｓ  シート、１  正面板、２  背面板、３、４  左右側面板、５  蓋板、６  内フラップ、７  差し込み片、８  内折れ板、９  切込み部、１０  糊代片、１１  中蓋、Ｌｖ  縦の折り曲げ罫線、Ｌｈ  横の折り曲げ罫線
【図１】
0005722620.tif 000002
【図２】
0005722620.tif 000003
【図３】
0005722620.tif 000004
【図４】
0005722620.tif 000005
【図５】
0005722620.tif 000006
【図６】
0005722620.tif 000007
【図７】
0005722620.tif 000008
【図８】
0005722620.tif 000009
【図９】
0005722620.tif 000010